(57)【要約】【課題】歩行が容易で、階段の昇降に支障をきたさない腰部負担軽減用具を提供すること。【解決手段】使用者が背負って背中に装着したとき同使用者の腰部にて後方に突出する突出部１１を一体に設けた硬質のフレーム１０、同使用者がその両足の下肢部分に装着する左右一対の下肢サポータ２０と、これらの下肢サポータにその一端をそれぞれ連結した伸縮自在な左右一対の弾力性連結具(ゴムバンド)３０，３０と、これら弾力性連結具の各他端部にその両端を連結して前記フレームの突出部に左右方向へ移動自在に支持されるロープ４０とにより構成され、前記使用者が前記フレームをその背中に装着し前記下肢サポータ２０をその両足の下肢部分に装着した状態にて前記弾力性連結具とロープにより前記下肢サポータを前記フレームの突出部にそれぞれ連結して使用される腰部負担軽減用具。【選択図】図１
2010029480.tif 000002
【特許請求の範囲】
【請求項１】
使用者が背負って背中に装着したとき同使用者の腰部にて後方に突出する突出部を一体に設けた硬質のフレームと、同使用者がその両足の下肢部分に装着する左右一対の下肢サポータと、これらの下肢サポータにその一端をそれぞれ連結した伸縮自在な左右一対の弾力性連結具と、これら弾力性連結具の各他端部にその両端を連結して前記フレームの突出部に左右方向へ移動自在に支持されるロープとにより構成され、前記使用者が前記フレームをその背中に装着し前記下肢サポータをその両足の下肢部分に装着した状態にて前記弾力性連結具とロープにより前記下肢サポータを前記フレームの突出部にそれぞれ連結して使用される腰部負担軽減用具。
【請求項２】
前記弾力性連結具として、一端を前記下肢サポータにそれぞれ連結し他端を前記ロープの各端部に連結したゴムバンドを採用したことを特徴とする請求項１に記載の腰部負担軽減用具。
【請求項３】
前記ロープが前記フレームの突出部の左右両側に取付けた滑車に掛けて支持されるようにしたことを特徴とする請求項１又は２に記載の腰部負担軽減用具。
【請求項４】
前記フレームを、使用者の背中に密着する形態に形成した硬質の枠体にメッシュを張設し、同枠体の下端部分に前記突出部を一体に形成して構成したことを特徴とする請求項１〜３の何れか１項に記載した腰部負担軽減用具。
【請求項５】
前記フレームを、使用者の背中に密着する形態に形成した硬質の枠体にメッシュを張設し、同枠体の上部に肩バンドが取付けられる上方張出部と使用者の背中に密着する下方張出部を形成し、同枠体の下端部分に前記突出部を一体に形成して構成したことを特徴とする請求項１〜４の何れか１項に記載した腰部負担軽減用具。
【発明の詳細な説明】
【技術分野】
【０００１】
本発明は、腰に負担のかかる作業を行う作業者が使用して腰痛に罹らないようにするのに適した腰部負担軽減用具に関するものである。
【背景技術】
【０００２】
下記の特許文献においては、介護者等の使用者が背負って背中に装着したとき同使用者の腰部にて後方に突出する突出部を一体に設けた硬質のフレームと、同使用者がその両足の下肢部分に装着する左右一対の下肢脱着具と、これらの下肢脱着具を前記フレームの突出部に伸縮自在に連結する左右一対の弾力性連結具とにより構成され、前記使用者が前記フレームをその背中に装着し前記下肢脱着具をその両足の下肢部分に装着した状態にて前記弾力性連結具により前記下肢脱着具を前記フレームの突出部にそれぞれ連結して使用される腰部負担軽減用具が開示されている。
【０００３】
上記のように構成した腰部負担軽減用具は、介護者等の使用者がその背中に密着する形態に形成した剛性のフレームをリュックサックのように背負って着用し、同使用者がその両足の下肢部分に装着した左右一対の下肢脱着具を伸縮可能な弾力性連結具により前記フレームの突出部にそれぞれ連結して使用されるもので、当該使用者が前方に屈み込んで患者を抱き上げて起立したり、或いは重量物を持ち上げて起立したりするとき、弾力性連結具の復元力により同使用者の起立を助勢する曲げモーメントが発生し、これにより使用者の腰に加わる負担が軽減される。
【特許文献１】特開２００５−１９２７６４号公報
【発明の開示】
【発明が解決しようとする課題】
【０００４】
上記の腰部負担軽減用具は、弾力性連結具を構成する各ゴムチューブ等の伸縮可能な連結部材の長さを適宜に調節すれば、使用者の起立動作を助勢する曲げモーメントを発生させて同使用者の腰に加わる負担を軽減する機能を果たすので、腰痛の防止に極めて有用である。  しかしながら、この腰部負担軽減用具を着用して歩行する場合には、上記の弾力性連結具に生じる緊張力が左右の足に不均衡にかかるため、歩幅が狭くなって歩行が困難になり、階段の昇降が危険になったり、膝への締付が強くなって痛みが生じたり、肩と胸が圧迫されるなどの難点がある。
【課題を解決するための手段】
【０００５】
本発明は、上記の難点をなくすため、使用者が背負って背中に装着したとき同使用者の腰部にて後方に突出する突出部を一体に設けた硬質のフレームと、同使用者がその両足の下肢部分に装着する左右一対の下肢サポータと、これらの下肢サポータにその一端をそれぞれ連結した伸縮自在な左右一対の弾力性連結具と、これら弾力性連結具の各他端部にその両端を連結して前記フレームの突出部に左右方向へ移動自在に支持されるロープとにより構成され、前記使用者が前記フレームをその背中に装着し前記下肢サポータをその両足の下肢部分に装着した状態にて前記弾力性連結具とロープにより前記下肢サポータを前記フレームの突出部にそれぞれ連結して使用される腰部負担軽減用具を提供するものである。
【０００６】
上記のように構成した本発明による腰部負担軽減用具の使用においては、使用者の歩行時に前記ロープが前記フレームの突出部にて同使用者の足の運びに応じて左右方向に移動するため、同使用者の両足にかかる前記弾力性連結具の緊張力が均衡する。これにより、肩や胸に圧迫を受けることなく、歩行が容易になり、階段の昇降時に支障がなくなる効果がある。
【発明を実施するための最良の形態】
【０００７】
以下に、本発明の一実施形態を図面を参照して説明する。図１に示したように、本発明による腰部負担軽減用具は、使用者が背負って背中に装着したとき同使用者の腰部にて後方に突出する突出部１１を一体に設けた剛性のフレーム１０と、同使用者がその両足の下肢部分に装着する左右一対の下肢サポータ２０、２０と、これらの下肢サポータ２０、２０にその一端をそれぞれ連結した伸縮自在な左右一対の弾力性連結具３０，３０と、これら弾力性連結具３０，３０の各他端部にその両端を連結して前記フレームの突出部１１に左右方向へ移動自在に支持されるロープ４０とにより構成されている。
【０００８】
フレーム１０は、使用者の背中に密着する形態に形成された硬質合成樹脂製の枠体１２に化学繊維製のメッシュ１３を張設してなり、同枠体１２の上部には上方張出部１４と下方張出部１５が形成され、同枠体１２の下端部分が後方に突出する突出部１１として形成されている。このフレーム１０はその上方張出部１４と左右両側部に肩バンド１６，１６を取付けて使用されるもので、使用者がその両肩に肩バンド１６，１６を掛けて、図２の（a）と（b）に示したとおり、リュックサックのように背負って装着される。
【０００９】
各下肢サポータ２０は、その内面にマジックテープ(登録商標)を取付けたもので、図２の（a）と（b）に示したように、使用者が両足の各膝関節の下に巻き付けて固定される。      
【００１０】
各弾力性連結具３０は、一端を下肢サポート２０に連結したゴムバンドであって、その他端にロープ４０の各端部が連結されている。
ロープ４０はナイロン製ロープであって、図３に示したように、フレーム１０の突出部１１の左右両側に取付けたロープガイド３２，３２を介して同突出部１１の左右両側に取付けた滑車３３、３３に掛けられてその両端に左右の下肢サポータ２０に連結した上記ゴムバンド３０が連結されている。このロープ４０は、図１の図示右側に位置する中間部に取付けたラチェットストッパー付ローラを有する長さ調整具４１によってその長さを調節できるようになっている。
【００１１】
上記の腰部負担軽減用具は、図２の（a）、（ｂ）に示したように、使用者が肩バンド１６，１６をその両肩にかけてフレーム１０をリュックサックのように背負った状態にて、同使用者がその両足の各膝関節の下に各下肢サポータ２０を巻き付けて起立することにより装着される。この場合、ロープ４０の長さは調整具４１によって使用者の体格に応じて調節される。このように本発明の腰部負担軽減用具を装着した状態にて当該使用者が歩行すると、その足の運びに応じて左右のゴムバンド３０，３０にその両端を連結したロープ４０が、図３に示したように左右に移動する。このため、使用者の両足にかかるゴムバンド３０，３０の緊張力が均衡し、同使用者の歩行が容易になり、階段の昇降に支障をきたすことがない。
【００１２】
また、図４に示したように、当該使用者が屈み込んで患者を抱き起こしたり、重量物を持ち上げたりするときには、フレーム１０の突出部１１が上方に突出するため左右のゴムバンド３０，３０が引っ張られてその反発力により使用者の起立を助勢する曲げモーメントが生じる。これにより、当該使用者の腰にかかる負担が軽減される。
【００１３】
本発明の実施にあたっては、上記の腰部負担軽減用具を構成するフレーム１０の形態、剛性、材質などを使用者の体形に応じて適宜に変更したり、弾力性連結具３０を構成するゴムバンド３０を伸縮自在な他の弾性材に代えたり、或いは、ロープ４０を左右の滑車３３，３３によって支持する代わりにフレーム１０の突出部１１の内面に横方向に形成した断面Ｕ字状の滑り面により支持してもよい。
【図面の簡単な説明】
【００１４】
【図１】本発明の腰部負担軽減用具の斜視図
【図２】図１に示した腰部負担軽減用具の装着状態を示す斜視図
【図３】図１に示した腰部負担軽減用具の部分拡大図
【図４】図１に示した腰部負担軽減用具の使用状態を示す斜視図
【符号の説明】
【００１５】
１０・・フレーム、１１・・突出部、２０・・下肢サポータ、３０・・・弾力性連結具（ゴムバンド）、３３・・滑車、４０・・ロープ
【図１】
2010029480.tif 000003
【図２】
2010029480.tif 000004
【図３】
2010029480.tif 000005
【図４】
2010029480.tif 000006